(57)【要約】【課題】ＩＣカードを用いてロッカーボックスを解錠でき貸しロッカーシステムにおいて、カードリーダに異常が発生しても利用者が荷物を取り出せるようにし、利便性を高める。【解決手段】ロッカー扉２ａを開けて荷物を収納し、施錠スイッチ２３を操作する。集中制御装置１にＩＣカードＣｄをかざす。カードリーダ１ｃによりＩＣカードＣｄからＩＤコードを読み取って預け入れ処理を行う。ＩＤコードを暗号化した暗号コードをプリンタ１ａで印字して出力する。取り出し時に、カードリーダ１ｃの異常をチェックし、異常が発生していなければカードリーダ１ｃによりＩＤコードを読み取って取り出し処理を行う。異常が発生していれば、ＩＣカードＣｄに印字されているＩＤコードを操作表示部１ｂ１から入力して取り出し処理を行う。【選択図】図１
2006176968.tif 000002
【特許請求の範囲】
【請求項１】
ＩＣカードのＩＤ情報を読取手段で読み取って、該ＩＤ情報に基づいてロッカーの施解錠の制御を行い、該ＩＣカードを用いてロッカーに対する預け入れ操作及び取り出し操作を行えるようにしたロッカーシステムであって、
利用者が情報を入力するための入力手段と、
前記読取手段の異常を検出する異常検出手段と、
を備え、
ロッカーに対する取り出し操作時に前記異常検出手段で前記読取手段の異常が検出された場合は、前記入力手段から入力されたＩＤ情報による照合を行って該ロッカーの解錠制御を行うようにしたことを特徴とするロッカーシステム。
【請求項２】
前記預け入れ操作時に、前記読取手段で読み取ったＩＤ情報を暗号化した暗号コードを利用記録と共にレシートに印字出力するようにしたことを特徴とする請求項１に記載のロッカーシステム。
【発明の詳細な説明】
【技術分野】
【０００１】
本発明は、例えば駅構内に設置され、複数の利用者にロッカーボックスを利用可能としたロッカーシステムに関する。
【背景技術】
【０００２】
従来、ＩＣカードのＩＤ情報や、電子キーからのＩＤデータあるいは特定のカードのバーコードなどのＩＤ情報を読み取って、このＩＤ情報により錠の施解錠の制御をするものがある。このようなロック制御システムとして、例えば特開平１１−９４２８号公報、特開２０００−６４６８０号公報に開示されたものがある。
【０００３】
特開平１１−９４２８号公報のものは、宅配物集合保管装置において、ＩＣカードの情報をカード読み取り部により読み取って、そのカードの情報に基づいて収納室の錠の施解錠を制御するようにしている。特開２０００−６４６８０号公報のものは、電子キーの識別コードを受信部で受信してその識別コードに基づいてキーレスエントリーシステムの制御を行うものである。
【０００４】
また、ロッカーシステムとしてプリペードカードを用いて利用できるものが例えば特開平７−３０５５４号公報に開示されている。このロッカーシステムは、ロッカー使用時にプリペードカードをカードリーダに挿入し、そのプリペードカードから利用料金を引き落としでロッカーを利用できるようにしたものである。
【特許文献１】特開平１１−９４２８号公報
【特許文献２】特開２０００−６４６８０号公報
【特許文献３】特開平７−３０５５４号公報
【発明の開示】
【発明が解決しようとする課題】
【０００５】
しかし、ＩＣカードやプリペードカードから情報を読み取ったり、識別コードを受信したりするような場合、読み取り装置や通信手段に異常が発生した場合には使用不能となってしまうという問題がある。
【０００６】
例えば、ロッカーシステムにおいて、専用のカードリーダーが故障した場合、利用者には落ち度がないにもかかわらず、荷物の取り出しができないという不具合が生じる。このような場合には、管理者が特定のキーなどにより非常解錠して荷物を別途保管することになり、利用者は別途荷物を受け取らなければならず、サービスの低下を招く。また管理者は至急に非常解錠しなければならないなど、管理に手間を要する。
【０００７】
本発明は、上記従来の問題点に鑑みてなされたもので、ロッカーシステムにおいて、カードリーダー等の読み取り装置などに異常が発生した場合の不具合を解消することを課題とする。
【課題を解決するための手段】
【０００８】
請求項１のロッカーシステムは、ＩＣカードのＩＤ情報を読取手段で読み取って、該ＩＤ情報に基づいてロッカーの施解錠の制御を行い、該ＩＣカードを用いてロッカーに対する預け入れ操作及び取り出し操作を行えるようにしたロッカーシステムであって、利用者が情報を入力するための入力手段と、前記読取手段の異常を検出する異常検出手段と、を備え、ロッカーに対する取り出し操作時に前記異常検出手段で前記読取手段の異常が検出された場合は、前記入力手段から入力されたＩＤ情報による照合を行って該ロッカーの解錠制御を行うようにしたことを特徴とする。なお、異常が検出された場合の操作手順を利用者に知らせるような表示を行ってもよいし、予め掲示等により使い方を知らせるようにしてもよい。
【０００９】
請求項２のロッカーシステムは、請求項１に記載のロッカーシステムであって、前記預け入れ操作時に、前記読取手段で読み取ったＩＤ情報を暗号化した暗号コードを利用記録と共にレシートに印字出力するようにしたことを特徴とする。
【発明の効果】
【００１０】
請求項１のロッカーシステムによれば、カードリーダー等の読取手段で異常が発生しても、テンキー等の入力手段からＩＣカードに印字されてるＩＤ情報を見てそのＩＤ情報を入力することにより解錠することができるので、例えば、利用者はロッカーに預けた荷物をその場で取り出すことができ、管理者も直ぐに緊急解錠する必要もなく、使い勝手がよく、管理もし易くなる。
【００１１】
請求項２のロッカーシステムによれば、請求項１と同様な効果が得られるとともに、レシートの暗号コードからＩＣカードのＩＤ情報が判明するので、ＩＣカードの紛失時等にも利用本人であるこをと特定できるので、管理がし易い。また、レシートを紛失した場合のセキュリティ性も高まる。
【発明を実施するための最良の形態】
【００１２】
次に、本発明のロッカーシステムの実施形態を図面を参照して説明する。図１は実施形態の貸しロッカーシステムの外観正面図である。このシステムは集中制御装置１とその両側にそれぞれ複数のロッカーボックス２を配置したものである。集中制御装置１の内部には、レシートを発行するためのプリンタ１ａ、タッチパネル付きＬＣＤ表示器１ｂ、「読取手段」として非接触ＩＣカードＣｄからの電波を受信するカードリーダ１ｃ、携帯電話機Ｔからの赤外線を受信する赤外線モジュール１ｄ、紙幣の鑑別を行う紙幣鑑別機１ｅ、硬貨の識別を行う検銭機１ｆが配設されている。
【００１３】
集中制御装置１のパネル面には、プリンタ１ａからレシートを排出するためのレシート出口１ａ１、ＬＣＤ表示器１ｂの表示窓となる操作表示部１ｂ１、カードリーダ１ｃで電波の送受信を行うアンテナ部１ｃ１、赤外線モジュール１ｄで赤外線を受信する赤外線受信部１ｄ１、紙幣鑑別機１ｅに紙幣を投入するための紙幣投入口１ｅ１、検銭機１ｆに硬貨を投入するための硬貨投入口１ｆ１、検銭機１ｆから硬貨を返却するための硬貨返却口１ｆ２、及び硬貨返却レバー１ｇが配設されている。
【００１４】
また、各ロッカーボックス２は、ロッカー扉２ａの内部に集中制御装置１からの制御信号に基づいてロッカー扉２ａを施解錠する錠装置２ｂ、ロッカー扉２ａの開閉状態を検出する扉開閉スイッチ２ｃ、錠装置２ｂ側の框部に配設された施錠スイッチ２ｄ、施錠スイッチ２ｄの上部に配設された施錠確認用ＬＥＤ２ｅ、ロッカー２ａの錠装置２ｂの近傍に配設された状態表示用ＬＥＤ２ｆをそれぞれ備えている。
【００１５】
図２は集中制御装置１の要部ブロック図である。集中制御装置１はマイクロコンピュータで構成された制御ユニット（制御部）１００と電源１００Ａを備えており、制御ユニット１００にはプリンタ１ａ、ＬＣＤ表示器１ｂ、カードリーダ１ｃ、赤外線モジュール１ｄ、紙幣鑑別機１ｅ、検銭機１ｆ、各ロッカーボックス２の各錠装置２ｂが接続されている。また、錠装置２ｂには図示しない基板を介して、扉開閉スイッチ２ｃ、施錠スイッチ２ｄ、施錠確認用ＬＥＤ２ｅ、状態表示用ＬＥＤ２ｆがそれぞれ接続されている。制御ユニット１００は、プリンタ１ａへの印字データの出力、ＬＣＤ表示器１ｂへの表示データの出力と操作状態の検出を行う。
【００１６】
また、制御ユニット１００は、カードリーダ１ｃ、赤外線モジュール１ｄ、紙幣鑑別機１ｅ及び検銭機１ｆからのデータの入力や紙幣や硬貨の鑑別状態を検出する。さらに、制御ユニット１００は、錠装置２ｂを介して、扉開閉スイッチ２ｃ、施錠スイッチ２ｄの操作状態を検出するとともに、施錠確認用ＬＥＤ２ｅ、状態表示用ＬＥＤ２ｆの駆動制御を行う。そして、制御ユニット１００は後述の制御プログラムに基づいてロッカーシステムの制御を行う。
【００１７】
この実施形態では、操作表示部１ｂ１を操作して操作形態の異なる第１〜第３モードを選択することができるることができる。第１モードでは現金投入による施錠及び暗証番号の発行を行い、暗証番号による解錠を行う。第２モードでは非接触ＩＣカードＣｄとそのＩＤコードにより施錠及び解錠を行う。第３モードでは携帯電話機ＴとそのＩＤコードにより施錠及び解錠を行う。
【００１８】
以下、各モードにおける操作方法と装置の動作を説明する。なお、ロッカーボックス２が空き状態（非使用状態）のときは、錠装置２ｂは解錠状態で状態表示用ＬＥＤ２ｆが緑色に点灯されている。また、操作表示部１ｂ１の初期画面には「預け入れ」、「取り出し」等の表示が行われており、利用者は、操作表示部１ｂ１のタッチパネルを操作して、所望の処理を選択する。「預け入れ」を選択し、空き状態のロッカーボックス２に荷物を収納してロッカー扉２ａを閉めると、施錠確認用ＬＥＤ２ｅが橙色で点滅するので、施錠スイッチ２ｄを押す。これにより、錠装置２ｂは仮施錠される。このとき、他に利用者が操作していなければ、施錠確認用ＬＥＤ２ｅが消灯するとともに状態表示用ＬＥＤ２ｆを赤色で点滅する。そして、操作表示部１ｂ１には、「暗証番号」、「ＩＣカード」、「携帯電話」の表示によりモードを選択するように案内が表示されるので、操作表示部１ｂ１のタッチパネルを操作してモードを選択する。
【００１９】
第１モード（暗証番号）：利用者が「預け入れ」を選択して荷物の投入及び施錠スイッチ２ｄを押し、「暗証番号」を選択する。これにより、操作表示部１ｂ１に利用料金と料金投入を促す表示が行われる。硬貨投入口１ｆ１から硬貨を投入するか、紙幣投入口１ｅ１から紙幣を投入すると錠装置２ｂが施錠され、状態表示用ＬＥＤ２ｆが赤色の点灯に変わり、レシートと領収書が発行される。このレシートには、解錠用の例えば６桁の暗証番号が印字されている。解錠操作をするときは、操作表示部１ｂ１の初期画面で「取り出し」を選択するとともに、次の画面で「暗証番号」を選択する。そして、操作表示部１ｂ１から暗証番号を入力すると錠装置２ｂが解錠されて、状態表示用ＬＥＤ２ｆが赤の点滅となる。
【００２０】
第２モード（ＩＣカード）：この第２モードでは、第１モードと同様に利用者が「預け入れ」を選択して荷物の投入及び施錠スイッチ２ｄを押し、「ＩＣカード」を選択する。これにより、操作表示部１ｂ１にＩＣカードＣｄを集中制御装置１のアンテナ部１ｃ１にかざすように促す表示が行われる。そこで、利用者が非接触ＩＣカードＣｄを集中制御装置１のアンテナ部１ｃ１にかざすと、その非接触ＩＣカードＣｄのＩＤコードとチャージデータが集中制御装置１側で読み取られる。そして、チャージデータの金額が利用料金以上であれば、そのチャージデータから利用料金を引き落としてチャージデータを書き換え、錠装置２ｂが本施錠される。状態表示ＬＥＤ２ｆは前記同様に赤色の点灯に変わり、使用状態を表示する。また、施錠されるとレシートが発行され、このレシートには利用記録として、取扱日時、取扱場所、ボックス番号、領収金額、カード残金が印字され、さらにＩＤコードを暗号化した暗号コードが印字される。
【００２１】
一方、チャージデータの金額が利用料金未満であれば、不足金額を表示するとともに、現金投入により不足分を支払うための処理が行われ、不足分を支払うと引き落とし可能な金額をチャージデータから引き落としてチャージデータを書き換え、錠装置２ｂが本施錠される。状態表示ＬＥＤ２ｆは前記同様に赤色の点灯に変わり、使用状態を表示する。また、施錠されると前記同様に利用記録と暗号コードが印字されたレシートが発行される。
【００２２】
解錠操作をするときは、操作表示部１ｂ１の初期画面で「取り出し」を選択するとともに、次の画面で「ＩＣカード」を選択する。そして、非接触ＩＣカードＣｄをアンテナ部１ｃ１にかざすと、前記同様集中制御装置１でＩＤコード、チャージデータが読み取られ、ＩＤコードに対応するロッカーの錠装置２ｂが解錠されて状態表示用ＬＥＤ２ｆが赤の点滅となる。そして、ロッカー扉２ａを開いて荷物を取り出し、ロッカー扉２ａを閉めると、状態表示ＬＥＤ２ｆが緑色の点灯に変わり、空き状態を表示する。
【００２３】
ここで、図３に示したように、ＩＣカードＣｄにはそのカードＩＤとしてＩＤコード（番号等）の印字Ｎｏが記されている。ＩＣカードによる解錠操作時に、操作表示の画面で「ＩＣカード」が選択されたとき、集中制御装置１はカードリーダ１ｃが正常に動作しているか否かの異常検出処理を行う。そして、異常が検出されなければ前記の処理を行い、異常が検出されたときは、操作表示部１ｂ１に、ＩＣカードｄに印字されているそのＩＣカードｄのＩＤコードを入力するように促す表示を行うとともに、この操作表示部１ｂ１にテンキーの画面スイッチを表示し、この画面スイッチからのＩＤコードの入力を受け付ける。そして、ＩＤコードが入力されるとＩＤコードの認証処理を行い、ロッカーを使用しているＩＤコードであれば、そのロッカーの錠装置２ｂを解錠する。また、この異常が検出されたときは、管理センター等に警告を発信する。
【００２４】
第３モード（携帯電話）：利用者が「預け入れ」を選択して荷物の投入及び施錠スイッチ２ｄを押し、「携帯電話」を選択する。これにより、操作表示部１ｂ１に、携帯電話機Ｔにおいてアプリケーションを起動して「ロッカーと通信」を選択するように促す表示が行われる。そこで、携帯電話機Ｔを集中制御装置１の赤外線受信部１ｄ１にかざして通信を行うと、該携帯電話機ＴのＩＤコード、チャージデータ、電話番号等の各種情報が集中制御装置１側で読み取られる。そして、チャージデータの金額が利用料金以上であれば、そのチャージデータから利用料金を引き落としてチャージデータを書き換え、錠装置２ｂが本施錠される。状態表示ＬＥＤ２ｆは前記同様に赤色の点灯に変わり、使用状態を表示する。また、施錠されるとレシートが発行される。
【００２５】
一方、チャージデータの金額が利用料金未満であれば、不足金額を表示するとともに、現金投入により不足分を支払うための処理が行われ、不足分を支払うと引き落とし可能な金額をチャージデータから引き落としてチャージデータを書き換え、錠装置２ｂが本施錠される。状態表示ＬＥＤ２ｆは前記同様に赤色の点灯に変わり、使用状態を表示する。
【００２６】
解錠操作をするときは、操作表示部１ｂ１の初期画面で「取り出し」を選択するとともに、次の画面で「携帯電話」を選択する。そして、携帯電話機Ｔを赤外線受信部１ｄ１にかざして通信すると、前記同様集中制御装置１でＩＤコード、チャージデータ、電話番号等の各種情報が読み取られ、錠装置２ｂが解錠され、状態表示用ＬＥＤ２ｆが赤の点滅となる。後は前記同様に荷物を取り出してロッカー扉２ａを閉めると状態表示ＬＥＤ２ｆが緑色の点灯に変わる。
【００２７】
なお、何れのモードでも、時間超過による追加料金が発生している場合には、暗証番号の入力やＩＤコードの読み取り後に、操作表示部１ｂ１に追加の料金投入を案内する表示が行われるので、追加の料金の投入を行う。また、各モードにおいて、施錠／解錠の対象とするロッカーボックス２は、暗証番号（第１モード）、非接触ＩＣカードＣｄのＩＤコード及び暗号コード（第２モード）、携帯電話機ＴのＩＤコードに対応する解錠番号（第３モード）と、それぞれ対応付けられており、解錠操作のとき、集中制御装置１において、これらの暗証番号、ＩＤコード、解錠番号を確認し、認証されれたその暗証番号、ＩＤコード、あるいは解錠番号に対応する対象ロッカーボックス２を特定し、解錠を行っている。
【００２８】
第２モードで預け入れ時に発行されるレシートには暗号コードが印字されているが、この暗号コードは所定のアルゴリズムを利用して暗号化されたものであり、この暗号コードから対応するＩＣカードのＩＤコードを復元できる。したがって、例えば利用者がＩＣカードを紛失した場合など、所定の別途保管場所等に出向き、そのレシートを提示するとともに本人確認等を行うことで荷物を受け取るようにできる。例えば、保管場所のコンピュータ等でロッカーシステムの情報管理等を行い、そのレシートの暗号コードにより紛失したＩＣカードのＩＤコードが判明する。したがって、本人確認等を行って荷物を返還できる。なお、他の施設でＩＣカードを利用した場合のレシートには一般にそのＩＤコードも印字されることが多いが、このようにすると他人がレシートを取得した場合に、そのＩＤコードで解錠できてしまうので問題になるが、本実施形態においては暗号コードを印字するので、このような問題もなく、セキュリティ性も高まる。
【００２９】
図４は集中制御装置１の制御ユニット１０における制御プログラムの預け入れ処理の要部フローチャート、図５は同制御プログラムの取り出し処理の要部フローチャートであり、同フローチャートを参照しながら動作を説明する。図４の処理は図示しないメイン処理において「預け入れ」を選択したとき起動されるサブルーチンであり、図５の処理はメイン処理において「取り出し」を選択したとき起動されるサブルーチンである。なお、これらのフローチャートは主に第２モード（ＩＣカード）の処理を示しており、以下の説明では主に第２モードについて説明する。
【００３０】
図４の預け入れ処理では、ステップＳ１及びステップＳ２で施錠スイッチ２ｄがＯＮされるのを監視し、ＯＮされずに所定時間経過するとステップＳ２からメインルーチンに復帰する。施錠スイッチ２ｄがＯＮされると、ステップＳ３で錠装置２ｂを仮施錠し、ステップＳ４で、操作表示部１ｂ１において第１〜第３モードのいずれのモードが選択されるかを判定する。第１モードが選択されればステップＳ５で暗証番号の処理（第１モードの処理）を行い、第２モードが選択されればステップＳ６で利用料金を表示してステップＳ８に進む。第３モードが選択されればステップＳ７で携帯電話の処理（第３モードの処理）を行う。
【００３１】
なお、ステップＳ５の暗証番号の処理では、利用料金の表示、利用料金の投入有無の判定、投入があれば錠装置２ｂの施錠、状態表示用ＬＥＤ２ｆの点灯、暗証番号を印字したレシートと領収書の発行等の処理を行う。また、ステップＳ７の携帯電話の処理では、携帯電話ＴからのＩＤコード、チャージデータ及び電話番号の読み取り、上記同様に利用料金の表示、利用料金の投入有無の判定、錠装置２ｂの施錠、状態表示用ＬＥＤ２ｆの点灯、レシートと領収書の発行等の処理を行う。
【００３２】
第２モードで利用料金を表示すると、ステップＳ８で、ＩＣカードＣｄからデータの読み取りを行い、ＩＣカードＣｄのＩＤコード、チャージデータの情報を読み取り、ＩＤコードの確認とチャージデータの確認を行う。次に、ステップＳ９でチャージデータの金額（チャージ金額）が利用料金以上であるか否かを判定する。チャージ金額が利用料金以上（同額も含む）であれば、ステップＳ１０，Ｓ１１と進む。ステップＳ１０では、ＩＤコードを暗号化して暗号コードを生成し、ＩＤコードと暗号コードを該当するロッカーボックス２に対応する情報として記憶し、ステップＳ１１に進む。
【００３３】
ステップＳ１１では、利用料金をチャージデータから引き落とし（ＩＣカードのチャージデータを書き換える。）、レシートに前記利用記録と暗号コードを印字して発行し、ステップＳ１２で錠装置２ｂを本施錠してメインルーチンに復帰する。
【００３４】
ステップＳ９でチャージ金額が利用料金以上でなければ、ステップＳ１３で超過料金を表示し、料金を投入（支払い）を依頼する表示を行い、ステップＳ１４に進む。ステップＳ１４ではタイマーをスタートさせ、ステップＳ１５及びステップＳ１６で満額の料金が投入されるのを監視し、満額の料金が投入されずに所定時間経過するとステップＳ１６からメインルーチンに復帰する。所定時間内に満額の料金が投入されると、ステップＳ１０に進んで前記同様の処理を行う。
【００３５】
図５の取り出し処理では、ステップＳ２１で、操作表示部１ｂ１において第１〜第３モードのいずれのモードが選択されるかを判定する。第１モードが選択されればステップＳ２２で暗証番号の処理（第１モードの処理）を行い、第２モードが選択されればステップＳ２３に進む。第３モードが選択されればステップＳ２４で携帯電話の処理（第３モードの処理）を行う。
【００３６】
なお、ステップＳ２２の暗証番号の処理では、ロッカー番号と暗証番号の入力画面の表示、ロッカー番号と暗証番号の入力受付及び確認等を行い、入力されたロッカー番号に対応する暗証番号であると確認されたら、錠装置２ｂの解錠、状態表示用ＬＥＤ２ｆの点灯等の処理を行う。また、ステップＳ２４の携帯電話の処理では、携帯電話ＴからのＩＤコード、チャージデータ及び電話番号の読み取り、解錠番号に対応するロッカーの錠装置２ｂの解錠、状態表示用ＬＥＤ２ｆの点灯等の処理を行う。
【００３７】
第２モードが選択されると、ステップＳ２３で、カードリーダ１ｃに異常が発生しているか否かの異常検出処理を行い、ステップＳ２５で異常の有無を判定する。異常が検出さればステップＳ２７に進み、異常が検出されなければステップＳ２６で、ＩＣカードＣｄからデータの読み取りを行い、ＩＣカードＣｄのＩＤコード、チャージデータの情報を読み取り、ＩＤコードの確認とチャージデータの確認を行う。そして、ステップＳ３０に進む。
【００３８】
カードリーダ１ｃに異常が検出されていれば、ステップＳ２７で、例えば管理センター等に異常を通報する異常通報処理を行い、ステップＳ２８に進む。ステップＳ２８では、利用者に対してＩＣカードに印字されているＩＤコードを入力するように促す文章を操作表示部１ｂ１に表示し、操作表示部１ｂ１にテンキーの画面スイッチを表示する。そして、ステップＳ２９でＩＤコードの入力処理を行ってステップＳ３０に進む。
【００３９】
ステップＳ３０では読み取ったＩＣカードのＩＤコードまたは入力されたＩＤコードの認証処理を行い、ステップＳ３１で認証されればステップＳ３２に進み、認証されなければそのままメインルーチンに復帰する。ステップＳ３２では、超過料金が発生しているかを判定し、発生していなければステップＳ３３でＩＤコードに対応するロッカーの錠装置２ｂを解錠してメインルーチンに復帰する。超過料金が発生していれば、ステップＳ３４で超過料金を表示し、料金を投入（支払い）を依頼する表示を行い、ステップＳ３５に進む。ステップＳ３５ではタイマーをスタートさせ、ステップＳ３６及びステップＳ３７で満額の料金が投入されるのを監視し、満額の料金が投入されずに所定時間経過するとステップＳ３７からメインルーチンに復帰する。所定時間内に満額の料金が投入されると、ステップＳ３３に進んで前記同様の処理を行う。
【００４０】
以上の処理により、カードリーダ１ｃに異常が発生していても、利用者はＩＣカードＣｄに印字されているＩＤコードを見て、そのＩＤコードを入力することでロッカーボックスを解錠することができるので、利用者に別途荷物の引き取りのような余計な手間をかけることがなく、使い勝手がよい。また、管理者は緊急に非常解錠する必要もなく、管理がし易い。
【図面の簡単な説明】
【００４１】
【図１】本発明の実施形態の貸しロッカーシステムの外観正面図である。
【図２】実施形態における集中制御装置の要部ブロック図である。
【図３】実施形態におけるＩＣカードを示す図である。
【図４】実施形態における預け入れ処理のフローチャートである。
【図５】実施形態における取り出し処理のフローチャートである。
【符号の説明】
【００４２】
１      集中制御装置
２      ロッカーボックス
１００  制御ユニット
１ａ    プリンタ
１ｂ１  操作表示部
１ｃ    カードリーダ
１ｃ１  アンテナ部
２ｂ    錠装置
Ｃｄ    非接触ＩＣカード
【図１】
2006176968.tif 000003
【図２】
2006176968.tif 000004
【図３】
2006176968.tif 000005
【図４】
2006176968.tif 000006
【図５】
2006176968.tif 000007